(57)【要約】【課題】電子識別機能を備えた駐車場予約システムの提供。【解決手段】本発明は一種の電子識別機能を備えた駐車場予約システムに関するものであり、そのうち、車両がＧＰＲＳモジュールを通じて駐車スペース予約要求をリモートサーバへ無線で送信し、駐車スペース予約要求は、車両に対応する識別コード、特定条件、及び車両のその時点での位置を含む。リモートサーバが駐車スペース予約要求に含まれる車両のその時点での位置に基づき駐車場のデータベースを検索し、特定条件に適合した駐車場情報を選出する。その後インターネットを通じて予約オーダーを駐車場情報に対応した駐車場の駐車場コンピューター端末へ伝送し、予約作業を完了する。予約が終了した後、駐車場コンピューター端末はインターネットを通じてリモートサーバに予約完了データとして返答し、リモートサーバはこの予約完了データを車両へ無線で伝達する。【選択図】図１
2007157101.tif 000002
【特許請求の範囲】
【請求項１】
電子識別機能を備えた駐車場予約システムの一種であり、複数の車両、リモートサーバ及び複数の駐車場コンピューター端末を含み、
複数の車両は全て電子識別デバイスを搭載し、電子識別デバイスは対応する識別コードを提供し、全ての車両は他にグローバル測位装置、及び無線通信システムを含み、該グローバル測位装置は対応する該車両のその時点での位置を算出し、
リモートサーバは無線通信モジュール、及び駐車場のデータベースに電気接続されているもの、該駐車場のデータベース内には複数の駐車場情報が保存され、これらの駐車場情報はそれぞれ複数の駐車場に対応するもので、それぞれこれらの駐車場の地理情報、及びそれら駐車場にある空きスペースの量を含み、
複数の駐車場コンピューター端末はそれぞれこれらの駐車場に対応してこれらの場所に設置されているもの、これらの駐車場コンピューター端末はそれぞれインターネットを通じて該リモートサーバに接続し、駐車場コンピューター端末は全て少なくとも一台の電気識別読取機に電気接続され、この電気識別読取機はこれに対応する駐車場の少なくとも一カ所の出入口に設けられ、
そのうち、これらの車両のうち一台はその無線通信システムを通じて駐車スペース予約要求を無線により送信し、該駐車スペース予約要求はこれに対応する車両のその時点での位置を含み、
そのうち、該リモートサーバはこの無線通信モジュールを通じて該駐車スペース予約要求を受信し、該駐車スペース予約要求中にある該車両のその時点での位置に基づき該駐車場のデータベースを検索し、特定条件に対応した駐車場情報を選出し、そのうち、該特定条件は少なくとも駐車場の空きスペースの量がゼロ（満車）より多いことを選出することを含み、該リモートサーバは該インターネットを通じて予約オーダーを駐車場情報に対応した駐車場の該駐車場コンピューター端末へ伝送し、予約作業を完了させることを特徴とする、電子識別機能を備えた駐車場予約システム。
【請求項２】
予約作業を滞りなく完了させた後、選出した駐車場情報に対応した駐車場の該駐車場コンピューター端末は、該インターネットを通じて該リモートサーバに予約完了データとして返答し、また該リモートサーバは該無線通信モジュールを制御し、該予約完了データを対応する該車両にある該無線通信システムへ無線で伝達することを特徴とする請求項１に記載の電子識別機能を備えた駐車場予約システム。
【請求項３】
全ての駐車場コンピューター端末は更に少なくとも一台のゲートコントローラーに電気接続し、これに対応する駐車場の少なくとも一カ所の該出入口に設置され、また少なくとも一台の該ゲートコントローラーは少なくとも一カ所のゲートに対応し、これを制御し、このゲートに対応する少なくとも一カ所の該出入口を開閉させ、
そのうち、該駐車スペース予約要求は更にこれに対応する車両の識別コードを含み、該予約オーダーは更に該識別コードを含み、
そのうち、該車両は予約作業を完了した後、かつ選出された駐車場情報に対応する該駐車場に間もなく入場する時、対応する該駐車場コンピューター端末は少なくとも一台の電子識別読取機を通じて該車両の電子識別デバイスを読取り、その識別コードを獲得し、対応する該駐車場コンピューター端末はこれに基づき受信した該予約オーダー内の該識別コードを照合し、もしその結果は同一の識別コードであると判断した場合は、対応する該駐車場コンピューター端末は少なくとも一台の該ゲートコントローラーを制御し、これに対応する少なくとも一カ所の該ゲートを開けることを特徴とする請求項１に記載の電子識別機能を備えた駐車場予約システム。
【請求項４】
該リモートサーバは更にリモートナビゲーションシステム及び電子地図に電気接続する。該リモートナビゲーションシステムは該電子地図を検索しナビゲーション経路を算出する、該ナビゲーション経路とは、対応する車両のその時点での該位置が、すでに選出された駐車場情報に対応する駐車場所在地へ移動するのに必要な該通過経路を指すことであり、該リモートサーバは、該無線通信モジュールが該ナビゲーション経路を対応する該車両にある該無線通信システムへ無線で伝送するのを制御することを特徴とする請求項１に記載の電子識別機能を備えた駐車場予約システム。
【請求項５】
対応する該車両はナビゲーションシステム、及び電子地図を搭載し、該ナビゲーションシステムは該電子地図を検索してナビゲーション経路を算出し、該ナビゲーション経路とは対応する車両のその時点での該位置が、すでに選出された駐車場情報に対応する駐車場所在地へ移動するのに必要な該通過経路を指すことを特徴とする請求項１に記載の電子識別機能を備えた駐車場予約システム。
【請求項６】
少なくとも一台の該電気識別読取機はこれに対応する駐車場を出入りする車両の識別コードを読取り、それに対応する該駐車場コンピューター端末に伝送し収集・整理・計数に供し、該インターネットを通じて該リモートサーバへ伝送し、該駐車場のデータベース内の該空きスペースの量を更新することを特徴とする請求項１に記載の電子識別機能を備えた駐車場予約システム。
【請求項７】
該駐車スペース予約要求は更に該特定条件を含むことを特徴とする請求項１に記載の電子識別機能を備えた駐車場予約システム。
【請求項８】
該特定条件は更に最短経路を選出する駐車場情報を含み、該最短経路とは対応する車両のその時点での該位置が、選出された駐車場情報に対応する駐車場所在地へ移動する該経路が最短のものを指すことを特徴とする請求項１に記載の電子識別機能を備えた駐車場予約システム。
【請求項９】
該駐車場情報は更にそれぞれ対応するこれら駐車場の駐車料金を含み、該特定条件は更にその駐車料金が最低のものを選出する駐車場情報を含むことを特徴とする請求項１に記載の電子識別機能を備えた駐車場予約システム。
【請求項１０】
該リモートサーバは更にリモートナビゲーションシステム、及び電子地図に電気接続し、該リモートナビゲーションシステムは該電子地図を検索し到着予想時刻を算出し、これらの駐車場情報は更にそれぞれこれらの駐車場に対応する該到着予想時刻の駐車料金を含むことを特徴とする請求項９に記載の電子識別機能を備えた駐車場予約システム。
【請求項１１】
対応する該車両は更にナビゲーションシステム、及び電子地図を搭載し、該ナビゲーションシステムは該電子地図を検索し到着予想時刻を算出し、これら駐車場情報は更にそれぞれこれらの駐車場に対応する該到着予想時刻の駐車料金を含むことを特徴とする請求項９に記載の電子識別機能を備えた駐車場予約システム。
【請求項１２】
該電子識別デバイスはＲＦＩＤデバイスを含み、全ての駐車場の少なくとも一台の該電子識別読取機はＲＦＩＤリーダーを含むことを特徴とする請求項１に記載の電子識別機能を備えた駐車場予約システム。
【請求項１３】
該グローバル測位装置はＧＰＳモジュールを含むことを特徴とする請求項１に記載の電子識別機能を備えた駐車場予約システム。
【請求項１４】
該車両が有する該無線通信システムはＧＰＲＳモジュールを含み、該リモートサーバの該無線通信モジュールとはＧＰＲＳモジュールを指すことを特徴とする請求項１に記載の電子識別機能を備えた駐車場予約システム。
【発明の詳細な説明】
【技術分野】
【０００１】
本発明は一種の電子識別機能を備えた予約システムに関するものであり、特に一種の電子識別機能を備えた駐車場予約システムに適用されるものを指す。
【背景技術】
【０００２】
現在、各家庭は少なくとも一台の自動車を有し、徒歩に代わる便利な交通機関となっている。しかしどこの駐車場でも提供される駐車スペースには有限であるため、駐車場のなかには時間帯によって駐車スペースの供給不足が発生したり、反対に供給過多の問題が起こったりしているところもある。
【０００３】
例を挙げれば、日常の勤務時間には、オフィスビルの駐車場は提供する駐車スペースが限られ、顧客が来た時点で臨時に供給できる駐車スペースが見つからないという問題に常に悩まされている。反対にハイパーマートやデパートでは消費者数が少なすぎることで、これらの場所にある駐車場の駐車スペースは供給過多の問題をかかえている。
【０００４】
上記の問題を解決するため、それぞれの駐車場では時間帯に応じて異なる駐車料金を設定し、駐車スペースの使用頻度を上げてはいる。しかし大多数の駐車場では利用車両の入出管理を人手に頼っているため、最新の駐車場情報を即座にドライバーに提供できないでいる。
【０００５】
そのため、本発明は最新の駐車場情報を備えた駐車予約システムを提供するものであり、かつＲＦＩＤの技術に対応可能でシステムの運行機能のさらなる向上を図ることも可能である。
【発明の開示】
【発明が解決しようとする課題】
【０００６】
本発明は一種の電子識別機能を備えた駐車場予約システムに関するものである。本発明は複数の車両、リモートサーバ、及び複数の駐車場コンピューター端末を含む。そのうち車両は全て電子識別デバイスを搭載し、電子識別デバイスは対応する識別コードを提供する。そして車両は全て他にＧＰＳ装置、及び無線通信システムを含み、ＧＰＳ装置は対応する該車両のその時点での位置を算出する。
【０００７】
その他に、リモートサーバは無線通信モジュール、及び駐車場のデータベースに電気接続されている。駐車場のデータベース内には複数の駐車場情報が保存されている。これらの駐車場情報はそれぞれ複数の駐車場に対応するものである。これらの駐車場情報はそれぞれ前述の複数ある駐車場の地理（所在地）情報、及びそれら駐車場にある空きスペースの量を含む。
【０００８】
また、複数の駐車場コンピューター端末はそれぞれ複数ある上記の駐車場に対応してそれらの場所に設置されている。複数あるこれら駐車場コンピューター端末はそれぞれインターネットを通じて上記のリモートサーバに接続していて、駐車場コンピューター端末は全て少なくとも一台の電気識別読取機に電気接続されている。この電気識別読取機はこれに対応する駐車場の少なくとも一カ所の出入口に設けられている。
【０００９】
複数ある上記の車両のうち一台がその無線通信システムを通じて駐車スペース予約要求を無線により送信する。この駐車スペース予約要求はこれに対応する車両のその時点での位置を含む。
【００１０】
上記のリモートサーバはこの無線通信モジュールを通じて駐車スペース予約要求を受信し、駐車スペース予約要求中にある車両のその時点での位置に基づき駐車場のデータベースを検索するほかにも、更に特定条件に対応した駐車場情報を選出する。この特定条件は少なくとも空きスペースの量がゼロ（満車）以上の駐車場情報を選出することを含む。
【００１１】
上記のリモートサーバはインターネットを通じて予約オーダーを駐車場情報に対応した駐車場の駐車場コンピューター端末へ伝送し、予約作業を完了させる。
【００１２】
このため、上記の予約システムは駐車場管理のための人件費を削除できるばかりでなく、ドライバーが目的地まで運転する途中に、インターネットを通じて最寄りの駐車場の駐車スペースをあらかじめ予約することができ、これにより臨時で駐車スペースを探すという問題が軽減できるのである。
【００１３】
予約作業を完了させた後、駐車場情報に対応した駐車場を選出した駐車場コンピューター端末は、インターネットを通じてリモートサーバに予約完了データとして返答する。またリモートサーバは無線通信モジュールを制御し、この予約完了データを対応する前述の車両にある無線通信システムへ無線で伝達できる。
【００１４】
上記の駐車場コンピューター端末はさらに、それぞれ更に少なくとも一台のゲートコントローラーに電気接続でき、これに対応する駐車場の少なくとも一カ所の出入口に設置できる。また少なくとも一台のゲートコントローラーは少なくとも一カ所のゲートに対応しこれを制御し、少なくとも一カ所の出入口を開閉させることができる。
【００１５】
また、上記の駐車スペース予約要求は更にこれに対応する車両の識別コードを含むことができ、前述の予約オーダーは更に識別コードを含むことができる。
【００１６】
車両が予約作業を滞りなく完了した後、かつ間もなく選出された駐車場に入場する時、対応する駐車場コンピューター端末は少なくとも一台の電子識別読取機を通じて車両の電子識別デバイスを読取りその識別コードを獲得する。対応する駐車場コンピューター端末はこれに基づき受信した予約オーダー内の識別コードを照合し、もしその結果同一の識別コードであると判断した場合は、対応する駐車場コンピューター端末は少なくとも一台のゲートコントローラーを制御し、これに対応する少なくとも一カ所のゲートを開け、車両が駐車場に入場するのに供することができる。
【００１７】
上記のリモートサーバは、より効果的な駐車場予約システムを提供するため、更にリモートナビゲーションシステム、及び電子地図に電気接続できる。リモートナビゲーションシステムは電子地図を検索しナビゲーション経路を算出することができる。このナビゲーション経路は対応する車両のその時点での位置が、すでに選出された駐車場情報に対応する駐車場所在地へ移動するのに必要な通過経路を指すことができる。リモートサーバは、無線通信モジュールがナビゲーション経路を対応する車両にある無線通信システムへ無線で伝送するのを制御できる。
【００１８】
リモートナビゲーションシステムはまた、電子地図を検索し到着予想時刻を算出することができる。複数の駐車場情報については更にそれぞれ複数の駐車場に対応する到着予想時刻の駐車料金を含む。そのため、時間帯に応じた適切な駐車場の駐車スペースを予約するサービスを提供することで、各種さまざまな駐車場の駐車スペースの駐車率を増加させることができるのである。
【００１９】
同様の理由で、対応する上記の車両はナビゲーションシステム、及び電子地図を搭載でき、ナビゲーションシステムは電子地図を検索しナビゲーション経路を算出することができる。このナビゲーション経路は対応する車両のその時点での位置が、すでに選出された駐車場情報に対応する駐車場所在地へ移動するのに必要な通過経路を指すことができる。
【００２０】
ナビゲーションシステムはまた、電子地図を検索し到着予想時刻を算出することができる。複数の駐車場については更にそれぞれ複数の駐車場に対応する到着予想時刻の駐車料金を含む。
【００２１】
上記の少なくとも一台の電気識別読取機はこれに対応する駐車場を出入りする車両の識別コードを読取ることができ、更にそれを対応する駐車場コンピューター端末に伝送し収集・整理・計数に供し、インターネットを通じてリモートサーバへ伝送し駐車場のデータベース内の空きスペースの量を更新できる。
【００２２】
上記の駐車スペース予約要求は更に特定条件を含むことができ、この特定条件は先に自動車所有者が自ら定義づけを行い、又は自ら選定した後、車両の無線通信システムを通じて駐車スペース予約要求に付随して無線と共に送信されることがありうる。この特定条件はまたリモートサーバに内蔵されることもありうる。
【００２３】
上記の特定条件には更に最短経路を選出する駐車場情報を含むことも可能である。この最短経路は対応する車両のその時点での位置が、すでに選出された駐車場情報に対応する駐車場所在地へ移動する経路が最短のものを指すことができる。ほかに上記の特定条件はその駐車費用が最低のものを選出する駐車場情報を含むこともできる。
【００２４】
複数ある上記の駐車場情報は更に対応する複数の駐車場の駐車料金をそれぞれ含むことができる。
【００２５】
上記の電子識別デバイスはＲＦＩＤ （Ｒａｄｉｏ  Ｆｒｅｑｕｅｎｃｙ  Ｉｄｅｎｔｉｆｉｃａｔｉｏｎ）デバイスを含むことができ、駐車場の少なくとも一台の電子識別読取機はＲＦＩＤリーダーを含むことができる。この電子識別デバイスはナンバープレート画像認識システム、又はバーコードスキャナ、または赤外線送信機のいずれであってもよい。
【００２６】
上記のグローバル測位装置はＧＰＳ （Ｇｌｏｂａｌ  Ｐｏｓｉｔｉｏｎ  Ｓｙｓｔｅｍ）モジュールを含むことができる。
【００２７】
上記の車両が有する無線通信システムはＧＰＲＳ （Ｇｅｎｅｒａｌ  Ｐａｃｋｅｔ  Ｒａｄｉｏ  Ｓｅｒｖｉｃｅ）モジュールを含むことができる。リモートサーバの無線通信モジュールは、ＧＰＲＳモジュール、又はGSM （Ｇｌｏｂａｌ  Ｓｙｓｔｅｍ  ｆｏｒ  Ｍｏｂｉｌｅ  Ｃｏｍｍｕｎｉｃａｔｉｏｎｓ）モジュール、３Ｇモジュール、ブルートゥースモジュール、又はその他の同等の効果を有する無線通信モジュールのいずれであってもよい。
【課題を解決するための手段】
【００２８】
請求項１の発明は、電子識別機能を備えた駐車場予約システムの一種であり、複数の車両、リモートサーバ及び複数の駐車場コンピューター端末を含み、
複数の車両は全て電子識別デバイスを搭載し、電子識別デバイスは対応する識別コードを提供し、全ての車両は他にグローバル測位装置、及び無線通信システムを含み、該グローバル測位装置は対応する該車両のその時点での位置を算出し、
リモートサーバは無線通信モジュール、及び駐車場のデータベースに電気接続されているもの、該駐車場のデータベース内には複数の駐車場情報が保存され、これらの駐車場情報はそれぞれ複数の駐車場に対応するもので、それぞれこれらの駐車場の地理情報、及びそれら駐車場にある空きスペースの量を含み、
複数の駐車場コンピューター端末はそれぞれこれらの駐車場に対応してこれらの場所に設置されているもの、これらの駐車場コンピューター端末はそれぞれインターネットを通じて該リモートサーバに接続し、駐車場コンピューター端末は全て少なくとも一台の電気識別読取機に電気接続され、この電気識別読取機はこれに対応する駐車場の少なくとも一カ所の出入口に設けられ、
そのうち、これらの車両のうち一台はその無線通信システムを通じて駐車スペース予約要求を無線により送信し、該駐車スペース予約要求はこれに対応する車両のその時点での位置を含み、
そのうち、該リモートサーバはこの無線通信モジュールを通じて該駐車スペース予約要求を受信し、該駐車スペース予約要求中にある該車両のその時点での位置に基づき該駐車場のデータベースを検索し、特定条件に対応した駐車場情報を選出し、そのうち、該特定条件は少なくとも駐車場の空きスペースの量がゼロ（満車）より多いことを選出することを含み、該リモートサーバは該インターネットを通じて予約オーダーを駐車場情報に対応した駐車場の該駐車場コンピューター端末へ伝送し、予約作業を完了させることを特徴とする、電子識別機能を備えた駐車場予約システムとしている。
請求項２の発明は、予約作業を滞りなく完了させた後、選出した駐車場情報に対応した駐車場の該駐車場コンピューター端末は、該インターネットを通じて該リモートサーバに予約完了データとして返答し、また該リモートサーバは該無線通信モジュールを制御し、該予約完了データを対応する該車両にある該無線通信システムへ無線で伝達することを特徴とする請求項１に記載の電子識別機能を備えた駐車場予約システムとしている。
請求項３の発明は、全ての駐車場コンピューター端末は更に少なくとも一台のゲートコントローラーに電気接続し、これに対応する駐車場の少なくとも一カ所の該出入口に設置され、また少なくとも一台の該ゲートコントローラーは少なくとも一カ所のゲートに対応し、これを制御し、このゲートに対応する少なくとも一カ所の該出入口を開閉させ、そのうち、該駐車スペース予約要求は更にこれに対応する車両の識別コードを含み、該予約オーダーは更に該識別コードを含み、
そのうち、該車両は予約作業を完了した後、かつ選出された駐車場情報に対応する該駐車場に間もなく入場する時、対応する該駐車場コンピューター端末は少なくとも一台の電子識別読取機を通じて該車両の電子識別デバイスを読取り、その識別コードを獲得し、対応する該駐車場コンピューター端末はこれに基づき受信した該予約オーダー内の該識別コードを照合し、もしその結果は同一の識別コードであると判断した場合は、対応する該駐車場コンピューター端末は少なくとも一台の該ゲートコントローラーを制御し、これに対応する少なくとも一カ所の該ゲートを開けることを特徴とする請求項１に記載の電子識別機能を備えた駐車場予約システムとしている。
請求項４の発明は、該リモートサーバは更にリモートナビゲーションシステム及び電子地図に電気接続する。該リモートナビゲーションシステムは該電子地図を検索しナビゲーション経路を算出する、該ナビゲーション経路とは、対応する車両のその時点での該位置が、すでに選出された駐車場情報に対応する駐車場所在地へ移動するのに必要な該通過経路を指すことであり、該リモートサーバは、該無線通信モジュールが該ナビゲーション経路を対応する該車両にある該無線通信システムへ無線で伝送するのを制御することを特徴とする請求項１に記載の電子識別機能を備えた駐車場予約システムとしている。
請求項５の発明は、対応する該車両はナビゲーションシステム、及び電子地図を搭載し、該ナビゲーションシステムは該電子地図を検索してナビゲーション経路を算出し、該ナビゲーション経路とは対応する車両のその時点での該位置が、すでに選出された駐車場情報に対応する駐車場所在地へ移動するのに必要な該通過経路を指すことを特徴とする請求項１に記載の電子識別機能を備えた駐車場予約システムとしている。
請求項６の発明は、少なくとも一台の該電気識別読取機はこれに対応する駐車場を出入りする車両の識別コードを読取り、それに対応する該駐車場コンピューター端末に伝送し収集・整理・計数に供し、該インターネットを通じて該リモートサーバへ伝送し、該駐車場のデータベース内の該空きスペースの量を更新することを特徴とする請求項１に記載の電子識別機能を備えた駐車場予約システムとしている。
請求項７の発明は、該駐車スペース予約要求は更に該特定条件を含むことを特徴とする請求項１に記載の電子識別機能を備えた駐車場予約システムとしている。
請求項８の発明は、該特定条件は更に最短経路を選出する駐車場情報を含み、該最短経路とは対応する車両のその時点での該位置が、選出された駐車場情報に対応する駐車場所在地へ移動する該経路が最短のものを指すことを特徴とする請求項１に記載の電子識別機能を備えた駐車場予約システムとしている。
請求項９の発明は、該駐車場情報は更にそれぞれ対応するこれら駐車場の駐車料金を含み、該特定条件は更にその駐車料金が最低のものを選出する駐車場情報を含むことを特徴とする請求項１に記載の電子識別機能を備えた駐車場予約システムとしている。
請求項１０の発明は、該該リモートサーバは更にリモートナビゲーションシステム、及び電子地図に電気接続し、該リモートナビゲーションシステムは該電子地図を検索し到着予想時刻を算出し、これらの駐車場情報は更にそれぞれこれらの駐車場に対応する該到着予想時刻の駐車料金を含むことを特徴とする請求項９に記載の電子識別機能を備えた駐車場予約システムとしている。
請求項１１の発明は、対応する該車両は更にナビゲーションシステム、及び電子地図を搭載し、該ナビゲーションシステムは該電子地図を検索し到着予想時刻を算出し、これら駐車場情報は更にそれぞれこれらの駐車場に対応する該到着予想時刻の駐車料金を含むことを特徴とする請求項９に記載の電子識別機能を備えた駐車場予約システムとしている。
請求項１２の発明は、該電子識別デバイスはＲＦＩＤデバイスを含み、全ての駐車場の少なくとも一台の該電子識別読取機はＲＦＩＤリーダーを含むことを特徴とする請求項１に記載の電子識別機能を備えた駐車場予約システムとしている。
請求項１３の発明は、該グローバル測位装置はＧＰＳモジュールを含むことを特徴とする請求項１に記載の電子識別機能を備えた駐車場予約システムとしている。
請求項１４の発明は、該車両が有する該無線通信システムはＧＰＲＳモジュールを含み、該リモートサーバの該無線通信モジュールとはＧＰＲＳモジュールを指すことを特徴とする請求項１に記載の電子識別機能を備えた駐車場予約システムとしている。
【発明の効果】
【００２９】
本発明の電子識別機能を備えた駐車場予約システムは駐車場管理のための人件費を削除できるばかりでなく、ドライバーが目的地まで運転する途中に、インターネットを通じて最寄りの駐車場の駐車スペースをあらかじめ予約することができ、これにより臨時で駐車スペースを探すという問題が軽減できるのである。
【発明を実施するための最良の形態】
【００３０】
図１は本発明である電子識別機能を備えた駐車場予約システムの概略図であり、図２は本発明である駐車場のデータベースの表示図である。図１のうち、この駐車場予約システムは複数の車両１１、１２、１３、１４、１５、リモートサーバ２０、及び複数の駐車場コンピューター端末３１１、３２１、３３１、３４１を含む。
【００３１】
本実施例では、全ての車両１１ （図１では車両１１の場合のみを例に挙げ説明を行う）は電子識別デバイス１１１を搭載し、電子識別デバイス１１１はＲＦＩＤデバイスである。電子識別デバイス１１１は対応する識別コードＣ１を提供し、無線により送信する。
【００３２】
全ての車両１１は他にグローバル測位装置１１２、及び無線通信システム１１３を含む。そのうちグローバル測位装置１１２はＧＰＳモジュールであり、無線通信システム１１３はＧＰＲＳモジュールである。そしてグローバル測位装置１１２は対応する車両１１のその時点での位置Ｌｃ=（Ｘｃ，Ｙｃ）を算出するものである。車両１１はその無線通信システム１１３を通じて駐車スペース予約要求Rを無線により送信する。この駐車スペース予約要求Ｒはこれに対応する車両１１のその時点での位置Ｌｃ及びこれに対応する車両１１の識別コードＣ１を含む。
【００３３】
このほか、リモートサーバ２０はリモートコントロールセンター２内に設置され、無線通信モジュール２１、及び駐車場のデータベース２２に電気接続される。本実施例では、この無線通信モジュール２１とはＧＰＲＳモジュールを指す。駐車場のデータベース２２内には複数の駐車場情報２２１、２２２、２２３、２２４（ｐａｒｋｉｎｇ  ｌｏｔ  ｉｎｆｏｒｍａｔｉｏｎ）が保存されている。また図２に示したように、これらの駐車場情報２２１、２２２、２２３、２２４はそれぞれ複数の駐車場Ｐ１、Ｐ２、Ｐ３、Ｐ４・に対応し、それぞれ駐車場Ｐ１、Ｐ２、Ｐ３、Ｐ４の地理情報（ｇｅｏ  ｄａｔａ）、空きスペースの量（ｒｅｓｔ  ｃａｐａｃｉｔｙ）、駐車スペース合計量、駐車場利用率（ｕｓｅｄ  ｒａｔｅ）、及び駐車料金（ｐａｒｋ  ｒａｔｅ）を含んでいる。
【００３４】
また、複数の駐車場コンピューター端末３１１、３２１、３３１、３４１（ｌｏｔ−ｅｎｄ  ｃｏｍｐｕｔｅｒ）はそれぞれ駐車場Ｐ１、Ｐ２、Ｐ３、Ｐ４に対応し設置される。駐車場コンピューター端末３１１、３２１、３３１、３４１はそれぞれインターネットＮを通じてリモートサーバ２０に接続する。
【００３５】
そのうち、リモートサーバ２０はその無線通信モジュール２１を通じて駐車スペース予約要求Ｒを受信し、リモートサーバ２０は駐車スペース予約要求Ｒに含まれる車両１１のその時点での位置Ｌｃに基づき駐車場のデータベース２２を検索し、特定条件Kに適合する駐車場情報２２１を選出する。
【００３６】
下記に特定条件Ｋの選択条件を列挙する。まず、特定条件Kはその空きスペースの量がゼロ（満車）以上という駐車場情報を選出することに限定される。本実施例では、リモートサーバ２０がその空きスペースの量がゼロ（満車）より多いという駐車場情報２２１、２２２、２２４を選出する。次に、選出される駐車場情報２２１、２２２、２２４に基づき、特定条件Ｋは更に最短経路の駐車場情報を選出することに限定される。最短経路とは、対応する車両１１のその時点での位置Ｌｃが、選出された駐車場情報に対応する駐車場所在地へ移動する経路が最短のものを指す。本実施例では、リモートサーバ２０が最短経路の駐車場情報２２１、２２４を選出する。そして最後に、最短経路を選出した駐車場情報２２１、２２４に基づき、特定条件Kは駐車料金が最低である駐車場情報に限定される。本実施例ではリモートサーバ２０がその駐車料金が最低である駐車場情報２２１を選出する。
【００３７】
このほか、特定条件Kは先に自動車所有者が自ら定義づけを行い、又は自ら選定した後、車両の無線通信システム１１３を通じて駐車スペース予約要求Rに付随して無線と共に送信されることも可能である。また特定条件Ｋはリモートサーバ２０に内蔵されることも可能である。リモートサーバ２０はインターネットＮを通じて予約オーダーＲｖを選出された駐車場情報２２１に対応する駐車場Ｐ１の駐車場コンピューター端末３１１へ伝送し、予約作業を完了させる。そのうち、予約オーダーRｖは更に識別コードＣ１を含む。
【００３８】
予約作業を完了させた後に、選出された駐車場情報２２１に対応した駐車場Ｐ１の駐車場コンピューター端末３１１は、インターネットＮを通じて予約完了データＳとしてリモートサーバ２０に返答する。リモートサーバ２０は無線通信モジュール２１を制御し、予約完了データＳを対応する車両１１にある無線通信システム１１３へ無線で伝達する。反対に、予約ができなかった場合は、リモートサーバ２０は無線通信モジュール２１を制御し予約失敗データとして自動車所有者に返答する。そしてこれにより自動車所有者は予約失敗という状況を把握し、その他の駐車場に対し新たに予約を行うのである。
【００３９】
上記の駐車場コンピューター端末３１１は二台の電子識別読取機３１２、３１３ （Ｅｌｅｃｔｒｏｎｉｃ  Ｉｄｅｎｔｉｆｉｃａｔｉｏｎ  Ｒｅａｄｅｒ）に電気接続されている。これら二台の電子識別読取機３１２、３１３は対応する駐車場Ｐ１の二カ所の出入口３１４、３１５に設けられ、それぞれがＲＦＩＤリーダーである。これら二台の電子識別読取機３１２、３１３はこれらに対応する駐車場Ｐ１を出入する車両１１の識別コードＣ１を読取り、かつ対応する駐車場コンピューター端末３１１に伝送し収集・整理・計数に供するために用いる。そしてその後インターネットＮを通じてリモートサーバ２０へ伝送し駐車場のデータベース２２内の空きスペースの量を更新するためにも用いられる。
【００４０】
駐車場コンピューター端末３１１は全て、更に二台のゲートコントローラー３１６、３１７に電気接続され、これに対応する駐車場Ｐ１の二カ所の出入口３１４、３１５に設置される。二台のゲートコントローラー３１６、３１７は二カ所のゲート３１８、３１９に対応しこれらを制御し、これらゲートに対応する二カ所の出入口３１４、３１５を開閉させる。
【００４１】
車両１１が選出された駐車場情報２２１に対応する駐車場Ｐ１に間もなく入場する時、対応する駐車場コンピューター端末３１１は二台の電子識別読取機３１２、３１３を通じて車両１１の電子識別デバイス１１１を読取りその識別コードＣ１を獲得し、対応する駐車場コンピューター端末３１１はこれに基づき受信した予約オーダーＲｖ内の識別コードＣ１を照合し、もしその結果同一の識別コードであると判断した場合は、対応する駐車場コンピューター端末３１１は二台のゲートコントローラー３１６、３１７を制御し、これらに対応する二カ所のゲート３１８、３１９を開け、車両１１が駐車場Ｐ１に入場するのに供する。
【００４２】
このため、上記の予約システムは駐車場管理のための人件費を削除できるばかりでなく、ドライバーが目的地まで運転する途中に、インターネットを通じて最寄りの駐車場の駐車スペースをあらかじめ予約することができ、これにより臨時で駐車スペースを探すという問題が軽減できるのである。
【００４３】
ほかに、本発明である電子識別機能を備えた駐車場予約システムの効率を更に向上するため、例えば、リモートサーバ２０は時間帯に応じた適切な駐車スペースを予約するサービスを提供することで、各種さまざまな駐車場の駐車スペースに於ける駐車率を増加させることができるのである。そのため、リモートサーバ２０が更にリモートナビゲーションシステム２０１、及び電子地図２０２に電気接続される。そしてリモートナビゲーションシステム２０１は電子地図２０２を検索しナビゲーション経路Ｎと到着予想時刻を算出する。このうち、ナビゲーション経路Ｎとは対応する車両１１のその時点での位置Ｌｃが、選出された駐車場情報に対応する駐車場所在地へ移動するのに必要な通過経路を指す。リモートサーバ２０は無線通信モジュール２１がナビゲーション経路Nを対応する車両１１にある無線通信システム１１３へ無線で伝送するのを制御する。同時に、リモートサーバ２０は算出された到着予想時刻に基づき、駐車場のデータベース２２内で、特定条件Kに適合した駐車場情報を選出する。駐車場情報は駐車場に対応する到着予想時刻に於ける駐車料金を含み、更にインターネットNを通じて予約オーダーＲｖを選出された駐車場情報に対応する駐車場の駐車場コンピューター端末に伝達され予約作業を完了させる。
【００４４】
上記の理由により、対応する車両１１はナビゲーションシステム１１４、及び電子地図１１５を搭載することができるが、システム実行の原理がほとんど同様であるため、ここでは重ねて説明しない。
【図面の簡単な説明】
【００４５】
【図１】本発明である電子識別機能を備えた駐車場予約システムの概略図である。
【図２】本発明である駐車場のデータベースの表示図である。
【符号の説明】
【００４６】
１１、１２、１３、１４、１５  車両  
１１１  電子識別デバイス  
１１２  グローバル測位装置（ＧＰＳ）  
１１３、２１  無線通信システム  
１１４  ナビゲーションシステム  
１１５  電子地図
２  リモートコントロールセンター
２０  リモートサーバ
２０１  リモートナビゲーションシステム
２０２  電子地図
２２  駐車場のデータベース
２２１  駐車場情報
３１１、３２１、３３１、３４１  駐車場コンピューター端末
３１２、３１３  電子識別読取機
３１４、３１５  出入口
３１６、３１７  ゲートコントローラー
３１８、３１９  ゲート
Ｃ１  識別コード
Ｐ１、Ｐ２、Ｐ３、Ｐ４  駐車場
Ｌｃ  車両のその時点での位置
Ｎ  インターネット
Ｒ  駐車スペース予約要求
Ｋ  特定条件
Ｒｖ  予約オーダー
Ｓ  予約完了データ
【図１】
2007157101.tif 000003
【図２】
2007157101.tif 000004